(57)【要約】【課題】サッシ枠体とフレーム体の間の防水性を確保でき、また縦フレーム材と縦枠の両方で強度を確保することのできるパネルユニット及びそれを用いた壁体構造を提供する。【解決手段】フレーム体１の縦フレーム材１０と横フレーム材１１で囲まれた開口部１ａにサッシ枠体２を固着してなり、横フレーム１１は縦フレーム１０の内周側面に取付けられてその略見込面内に配置され、少なくとも左右の縦フレーム材１０と上の横フレーム材１１の室外側に相当する方向に面する側面は略面一状のサッシ枠体固着面１２を構成し、サッシ枠体２を構成する左右の縦枠２２及び上枠２０はそれぞれ左右の縦フレーム材１０及び上の横フレーム材１１ａの各サッシ枠体固着面１２に重合する固着片２５を有すると共に、固着片２５とサッシ枠体固着面１２が重合して室外側に相当する方向からビスまたはリベット止めされてなる。【選択図】図３
2008121381.tif 000002
【特許請求の範囲】
【請求項１】
左右の縦フレーム材に上下の横フレーム材を連結してフレーム体を構成し、該フレーム体の前記縦フレーム材と横フレーム材で囲まれた開口部にサッシ枠体を固着してなるパネルユニットにおいて、
前記横フレームは前記縦フレームの内周側面に取付けられてその略見込面内に配置され、
少なくとも前記左右の縦フレーム材と上の横フレーム材の室外側に相当する方向に面する側面は略面一状のサッシ枠体固着面を構成し、前記サッシ枠体を構成する左右の縦枠及び上枠はそれぞれ前記左右の縦フレーム材及び上の横フレーム材の各サッシ枠体固着面に重合する固着片を有すると共に、該固着片とサッシ枠体固着面が重合して室外側に相当する方向からビスまたはリベット止めされてなることを特徴とするパネルユニット。
【請求項２】
前記サッシ枠体の外周面には室内側に相当する方向に向かって係合自在な係合フィンを形成し、前記フレーム体の内周面には前記サッシ枠体の係合フィンと係合する係合部品が取付けられることを特徴とする請求項１記載のパネルユニット。
【請求項３】
左右の縦フレーム材に上下の横フレーム材を連結してフレーム体を構成し、該フレーム体の前記縦フレーム材と横フレーム材で囲まれた開口部にサッシ枠体を固着してなるパネルユニットの、前記左右の縦フレーム材及び上下の横フレーム材の各外周側にそれぞれ建物躯体またはＡＬＣパネルを配設した壁体構造において、
前記横フレームは前記縦フレームの内周側面に取付けられてその略見込面内に配置され、
少なくとも前記左右の縦フレーム材と上の横フレーム材の室外側に相当する方向に面する側面は略面一状のサッシ枠体固着面を構成し、前記サッシ枠体を構成する左右の縦枠及び上枠はそれぞれ前記左右の縦フレーム材及び上の横フレーム材の各サッシ枠体固着面に重合する固着片を有すると共に、該固着片とサッシ枠体固着面が重合して室外側に相当する方向からビスまたはリベット止めされ、
前記サッシ枠体の室外側端部は、前記フレーム体のサッシ枠体固着面と前記サッシ枠体の固着片とが重合された状態でこれらを固定するビスまたはリベットを室外側から覆うように、前記建物躯体またはＡＬＣパネルとの間でシーリング処理されてなることを特徴とする壁体構造。
【請求項４】
前記縦フレーム材の外周側に配設されるＡＬＣパネルは室外側部が室内側部より内周側に突出した突出部を備え、前記縦フレーム材は前記ＡＬＣパネルの突出部より室内側の収納部に配置されることを特徴とする請求項３記載の壁体構造。
【請求項５】
前記突出部の室内側面と、対向する前記サッシ枠体の室外側面との間でシーリング処理されてなることを特徴とする請求項４記載の壁体構造。
【発明の詳細な説明】
【技術分野】
【０００１】
本発明は、建物の開口部に取付けられるサッシ枠体を含んだパネルユニット及びそれを用いた壁体構造に関し、特にサッシ枠体の周囲に建物躯体またはＡＬＣパネルが配設されるパネルユニット及びそれを用いた壁体構造に関する。
【背景技術】
【０００２】
建物の開口部にサッシ枠体を取付けるにあたって、左右の縦フレーム材と上下の横フレーム材からなるフレーム体の開口部にサッシ枠体を取付けたパネルユニットを予め工場で形成しておき、サッシ枠体が取付けられる現場ではこのパネルユニットのフレーム体を建物の開口部に取付け、サッシ枠体の周囲部には建物躯体またはＡＬＣパネルを配設することで、効率よくサッシ枠体の施工を行うことができる。このようなパネルユニットとしては、例えば特許文献１に挙げるようなものがある。また、縦材の見込面内に横材を連結するものとして、特許文献２に示すような壁開口部を直接補強する構造が知られている。
【特許文献１】特開平６−２９９７５８号公報
【特許文献２】特開平１１−３６４８４号公報
【発明の開示】
【発明が解決しようとする課題】
【０００３】
従来のパネルユニットにおいては、左右の縦フレーム材は上下の横フレーム材の後面側に固定されていた。すなわち、フレーム体は上下と左右で段差を有するように形成されていた。このため、サッシ枠体は上下の横フレーム材に対して固定され、横フレーム材より室内側に配置される縦フレーム材に対しては固定されていなかった。したがって、サッシ枠体の縦枠とフレーム体の縦フレーム材との間に隙間があって、防水性を確保しにくく、また縦フレーム材と縦枠の双方に充分な強度が要求されるため、コストが高くなりやすいという問題点があった。
【０００４】
本発明は、上記課題を解決すべくなされたものであり、サッシ枠体とフレーム体の間の防水性を確保でき、また縦フレーム材と縦枠の両方で強度を確保することのできるパネルユニット及びそれを用いた壁体構造を提供することを目的とする。
【課題を解決するための手段】
【０００５】
上記課題を解決するため、本発明に係るパネルユニットは、左右の縦フレーム材に上下の横フレーム材を連結してフレーム体を構成し、該フレーム体の前記縦フレーム材と横フレーム材で囲まれた開口部にサッシ枠体を固着してなるパネルユニットにおいて、
前記横フレームは前記縦フレームの内周側面に取付けられてその略見込面内に配置され、
少なくとも前記左右の縦フレーム材と上の横フレーム材の室外側に相当する方向に面する側面は略面一状のサッシ枠体固着面を構成し、前記サッシ枠体を構成する左右の縦枠及び上枠はそれぞれ前記左右の縦フレーム材及び上の横フレーム材の各サッシ枠体固着面に重合する固着片を有すると共に、該固着片とサッシ枠体固着面が重合して室外側に相当する方向からビスまたはリベット止めされてなることを特徴として構成されている。
【０００６】
また、本発明に係るパネルユニットは、前記サッシ枠体の外周面には室内側に相当する方向に向かって係合自在な係合フィンを形成し、前記フレーム体の内周面には前記サッシ枠体の係合フィンと係合する係合部品が取付けられることを特徴として構成されている。
【０００７】
さらに、本発明に係る壁体構造は、左右の縦フレーム材に上下の横フレーム材を連結してフレーム体を構成し、該フレーム体の前記縦フレーム材と横フレーム材で囲まれた開口部にサッシ枠体を固着してなるパネルユニットの、前記左右の縦フレーム材及び上下の横フレーム材の各外周側にそれぞれ建物躯体またはＡＬＣパネルを配設した壁体構造において、
前記横フレームは前記縦フレームの内周側面に取付けられてその略見込面内に配置され、
少なくとも前記左右の縦フレーム材と上の横フレーム材の室外側に相当する方向に面する側面は略面一状のサッシ枠体固着面を構成し、前記サッシ枠体を構成する左右の縦枠及び上枠はそれぞれ前記左右の縦フレーム材及び上の横フレーム材の各サッシ枠体固着面に重合する固着片を有すると共に、該固着片とサッシ枠体固着面が重合して室外側に相当する方向からビスまたはリベット止めされ、
前記サッシ枠体の室外側端部は、前記フレーム体のサッシ枠体固着面と前記サッシ枠体の固着片とが重合された状態でこれらを固定するビスまたはリベットを室外側から覆うように、前記建物躯体またはＡＬＣパネルとの間でシーリング処理されてなることを特徴として構成されている。
【０００８】
さらにまた、本発明に係る壁体構造は、前記縦フレーム材の外周側に配設されるＡＬＣパネルは室外側部が室内側部より内周側に突出した突出部を備え、前記縦フレーム材は前記ＡＬＣパネルの突出部より室内側の収納部に配置されることを特徴として構成されている。
【０００９】
そして、本発明に係る壁体構造は、前記突出部の室内側面と、対向する前記サッシ枠体の室外側面との間でシーリング処理されてなることを特徴として構成されている。
【発明の効果】
【００１０】
本発明に係るパネルユニットによれば、横フレームは縦フレームの内周側面に取付けられてその略見込面内に配置され、少なくとも左右の縦フレーム材と上の横フレーム材の室外側に相当する方向に面する側面は略面一状のサッシ枠体固着面を構成し、サッシ枠体を構成する左右の縦枠及び上枠はそれぞれ左右の縦フレーム材及び上の横フレーム材の各サッシ枠体固着面に重合する固着片を有すると共に、固着片とサッシ枠体固着面が重合して室外側に相当する方向からビスまたはリベット止めされてなることにより、フレーム体が上下左右で略同一面内に形成されることとなり、少なくともフレーム体及びサッシ枠体の左右辺及び上辺が略面一状のサッシ枠体固着面と固着片の重合により略同一面で固着されるので、フレーム体とサッシ枠との間で防水性を確保することができると共に、縦フレーム材と縦枠との固着により両者の組合せで充分な強度を得ることができる。また、左右の縦フレーム材が上下の横フレーム材と略同一面内にあることで、縦フレーム材と室内側の壁面との間に充分な空間を確保することができ、したがって縦フレーム材より室内側に設けられる断熱材を厚くすることができるので、断熱性を向上させることができる。さらに、左右の縦フレーム材が上下の横フレーム材と略同一面内にあることで、パネルユニットの全体の厚みを減らすことができるので、輸送効率を向上させることができる。
【００１１】
また、本発明に係るパネルユニットによれば、サッシ枠体の外周面には室内側に相当する方向に向かって係合自在な係合フィンを形成し、フレーム体の内周面にはサッシ枠体の係合フィンと係合する係合部品が取付けられることにより、フレーム体に対してサッシ枠体を室外側に相当する方向から係合させることができ、サッシ枠体のフレーム体に対する取付作業を容易にすることができる。
【００１２】
さらに、本発明に係る壁体構造によれば、左右の縦フレーム材及び上下の横フレーム材の各外周側にはそれぞれ建物躯体またはＡＬＣパネルが配設され、サッシ枠体の室外側端部は、重合したフレーム体のサッシ枠体固着面とサッシ枠体の固着片とを固定するビスまたはリベットを室外側から覆うように、建物躯体またはＡＬＣパネルとの間でシーリング処理されてなることにより、ビスまたはリベット止め部分を室外側から見えないようにすることができ、またサッシ枠体と建物躯体またはＡＬＣパネルとの間でシーリング処理することで充分な防水性を確保することができる。
【００１３】
さらにまた、本発明に係る壁体構造によれば、縦フレーム材の外周側に配設されるＡＬＣパネルは室外側部が室内側部より内周側に突出した突出部を備え、縦フレーム材はＡＬＣパネルの突出部より室内側の収納部に配置されることにより、縦フレーム材のＡＬＣパネルに対する納まりを良好にすることができ、サッシ枠体の上方または下方で縦枠と隣接するＡＬＣパネルに加工を行う必要がなくて、施工性を向上させることができる。また、フレーム体の室外側をＡＬＣパネルが覆う形となるので、パネルユニット全体での防音性及び断熱性を向上させることもできる。
【００１４】
そして、本発明に係る壁体構造によれば、突出部の室内側面と、対向するサッシ枠体の室外側面との間でシーリング処理されてなることにより、突出部が形成されたＡＬＣパネルにおいてはシーリング部分を室外側から見えないようにすることができ、意匠性を向上させることができる。
【発明を実施するための最良の形態】
【００１５】
本発明のパネルユニット及びそれを用いた壁体構造の実施形態について図面に沿って詳細に説明する。図１には本実施形態におけるパネルユニットの正面図を示している。この図に示すように、本実施形態におけるパネルユニットは、上下方向に長い左右の縦フレーム材１０、１０と、この左右の縦フレーム材１０、１０間に設けられる上フレーム材１１ａ及び下フレーム材１１ｂとからなる横フレーム材１１とでフレーム体１を構成し、左右の縦フレーム材１０、１０及び上下の横フレーム材１１ａ、１１ｂで囲まれた開口部１ａにサッシ枠体２を固着してなるものである。また、サッシ枠体２の内部には内障子３と外障子４とを引き違い状に納めている。
【００１６】
図２にはフレーム体１の縦断面図を示している。この図に示すように、フレーム体１は横フレーム材１１が縦フレーム材１０の内周側面に取付けられることで枠組みされており、下フレーム材１１ｂの室外側部が縦フレーム材１０よりも室外側に向かって突出しているものの、横フレーム材１１は概ね縦フレーム材１０の見込面内に配置されている。
【００１７】
このパネルユニットは、工場で全体を組み立てられて取付現場に輸送されるものであり、取付現場においてパネルユニットのサッシ枠体２の周囲部にＡＬＣパネルまたは建物躯体を配設して壁体構造を構成するものである。図３には壁体構造の縦断面図を、図４には壁体構造の横断面図を、それぞれ示している。
【００１８】
壁体構造においては、図３に示すように、横フレーム材１１である上フレーム材１１ａの上方及び室外側に渡って上側ＡＬＣパネル４０が配設され、横フレーム材１１である下フレーム材１１ｂの下方には下側ＡＬＣパネル４１が配設される。また、図４に示すように、縦フレーム材１０の側方及び室外側に渡って横側ＡＬＣパネル４２が配設される。
【００１９】
図３に示すように、上側ＡＬＣパネル４０は、室外側部が室内側部より内周側に突出した突出部４０ａを備えている。また、突出部４０ａが形成されることにより上側ＡＬＣパネル４０の見込方向中間位置には段差が形成され、これに伴って突出部４０ａの室内側には室外側には露出しない空間部である収納部４０ｂが形成される。この収納部４０ｂにはフレーム体１の上フレーム材１１ａが配置される。
【００２０】
図４に示すように、横側ＡＬＣパネル４２も、上側ＡＬＣパネル４０と同様に室外側部が室内側部より内周側に突出した突出部４２ａを備え、その室内側には収納部４２ｂが形成される。この収納部４２ｂにはフレーム体１の縦フレーム材１０が配置される。
【００２１】
図３及び図４に示すように、フレーム体１内に納められるサッシは、フレーム体１の開口部１ａに取付けられる方形状のサッシ枠体２内に内障子３と外障子４がそれぞれ引き違い状で開閉自在に納められて構成される。内障子３と外障子４は方形状に框組みされてなる框体５の内部にガラス体６を納めて構成される。
【００２２】
サッシ枠体２は、上枠２０と下枠２１及び左右の縦枠２２、２２を方形状に枠組みしてなるものである。また、サッシ枠体２の室内側端部には、四周に渡って内周側に向かって突出する立ち上がり片２３が形成されると共に、立ち上がり片２３の先端部から室内側に向かって延出されるアングル部２４が一体的に形成されている。
【００２３】
框体５は、上框３０と下框３１及び左右の縦框３２、３２を方形状に框組みしてなるものであり、上辺及び下辺がそれぞれサッシ枠体２の上辺及び下辺に案内されてサッシ枠体２の左右方向に走行自在となるように保持されている。
【００２４】
次に、フレーム体１とサッシ枠体２の連結構造について説明する。図３及び図４に示すように、左右の縦フレーム材１０、１０と上フレーム材１１ａの室外面は、略面一状であってこれらが一連のサッシ枠体固着面１２を構成している。下フレーム材１１ｂについても室外面にサッシ枠体固着面１２が形成されている。また、下フレーム材１１ｂは、見込方向中間位置に段差が形成されており、室外側に面した第二の固着面１３が形成されている。
【００２５】
一方、サッシ枠体２には、上枠２０の室外端部から外周側に向かって突出する室外面部２０ａが形成され、その先端部は室内側に向かって略Ｌ字状に突出し、その室内側に向かって面した部分が固着片２５として上フレーム材１１ａのサッシ枠体固着面１２に重合すると共に、ビス止め固定されている。また、縦枠２２の室外端部にも外周側に向かって突出する室外面部２２ａが形成され、その先端部は室内側に向かって略Ｌ字状に突出し、その室内側に向かって面した部分が固着片２５として縦フレーム材１０のサッシ枠体固着面１２に重合すると共に、ビス止め固定されている。
【００２６】
前述のように左右の縦フレーム材１０、１０と上フレーム材１１ａのサッシ枠体固着面１２は略面一状であり、またサッシ枠体２の縦枠２２と上枠２０の固着片２５も略面一状となるように形成されていて、したがってフレーム体１とサッシ枠体２は上辺と縦辺において略同一平面内で重合し室外側からビス止め固定される。これによって、フレーム体１とサッシ枠体２の連結部分においてある程度の防水性を確保することができる。さらに防水性を向上させるため、この固定部分を室外側から覆い隠すようにシーリング材５２が設けられる。このシーリング処理については後で詳述する。
【００２７】
下枠２１には、外周面の室内端部付近に第二の固着片２７が形成されており、この第二の固着片２７には室外側に向かって延びる上面を有した別部材の室外上面部２１ａが取付けられる。室外上面部２１ａの下面には、下フレーム材１１ｂのサッシ枠体固着面１２に重合する固着片２５が形成されており、ビス止めによって下フレーム材１１ｂに対して固定される。また、下枠２１の第二の固着片２７は、下フレーム材１１ｂの第二の固着面１３にも重合しており、室外上面部２１ａと重合されビス止め固定される。なお、これらのビス止めはリベット止めによってもよい。
【００２８】
また、上枠２０の室内側寄り外周面には、略Ｌ字状に突出する係合フィン２６が形成され、上フレーム材１１ａの内周面の室内端部には係合部品５１が固定され、係合フィン２６が係合部品５１に対して室外側から係合することによっても、上フレーム材１１ａと上枠２０が連結されている。下フレーム材１１ｂと下枠２１、及び縦フレーム材１０と縦枠２２についても同様に、係合フィン２６が係合部品５１に室外側から係合することで連結される。
【００２９】
このように、サッシ枠体２は固着片２５がフレーム体１のサッシ枠体固着面１２に室外側から当接しビスまたはリベット止めされ、またサッシ枠体２の外周面に形成される係合フィン２６がフレーム体１の内周面に取付けられる係合部品５１に室外側から係合し連結されることにより、サッシ枠体２をフレーム体１の室外側から容易に取付固定することができる。なお、フレーム体１とサッシ枠体２の連結は、前述のように工場において行われるため、図３及び図４に示すＡＬＣパネル等は存在しない段階で行われる。
【００３０】
次に、サッシ枠体２のシーリング処理について説明する。図３に示すように、サッシ枠体２を構成する上枠２０の室外面部２０ａは、上側ＡＬＣパネル４０の突出部４０ａの室内面と対向している。そしてこれら上枠２０の室外面部２０ａと上側ＡＬＣパネル４０の突出部４０ａの室内面との間にシーリング材５２が設けられてシーリング処理がなされ、これによって上フレーム材１１ａのサッシ枠体固着面１２と上枠２０の固着片２５とが重合されビス止め（あるいはリベット止め）された部分を室外側から覆うようにしている。これによって、開口部１ａの上辺において室内側に水が浸入することを防止することができる。
【００３１】
図４に示すように、縦フレーム材１０と縦枠２２についても同様の構造を有しており、縦枠２２の室外面部２２ａは、それと対向する横側ＡＬＣパネル４２の突出部４２ａの室内面との間にシーリング材５２が設けられてシーリング処理がなされ、開口部１ａの縦辺において室内側に水が浸入することを防止する。
【００３２】
また、図３に示すように、下フレーム材１１ｂと下枠２１については、互いに対向する室外上面部２１ａの下面と下側ＡＬＣパネル４１の内周面との間にシーリング材５２が設けられてシーリング処理がなされ、これによって下フレーム材１１ｂのサッシ枠体固着面１２と室外上面部２１ａの固着片２５とが重合されビス止めされた部分を室外側から覆うようにしている。また、互いに対向する下枠２１の下面と室外上面部２１ａの上面との間にもシーリング材５２が設けられてシーリング処理がなされ、これによって下フレーム材１１の第二の固着面１３と下枠２１の第二の固着片２７とが重合されビス止めされた部分を室外側から覆うようにしている。
【００３３】
次に、壁体構造の室内側及び室外側の壁面材について説明する。図３及び図４に示すように、サッシ枠体２の室内側には、四周に渡って額縁材７が設けられており、サッシ枠体２のアングル部２４が額縁材７の内周面部に当接する。また、額縁材７の外周側には内壁面材８が配置される。内壁面材８とフレーム体１との間には四周に渡り空間部が生じており、この空間部には断熱材５０が設けられる。前述のようにフレーム体１は、横フレーム材１１が縦フレーム材１０の略見込面内に配置されるように連結されているため、その室内面は四周に渡って略面一状であり、しかもその室内面はサッシ枠体２の立ち上がり片２３と見込方向に略同位置となっている。このため、フレーム体１と内壁面材８との間に四周に渡って充分な空間部を確保し、断熱材５０を設けることができる。これによってフレーム体１と室内側に露出する内壁面材８との間で充分な断熱性を確保することができる。
【００３４】
上側ＡＬＣパネル４０と下側ＡＬＣパネル４１及び横側ＡＬＣパネル４２の室外側には、外壁面材９が配設される。また、上側ＡＬＣパネル４０と横側ＡＬＣパネル４２については、突出部４０ａ、４２ａの内周面に渡るように外壁面材９が配設される。各外壁面材９は、サッシ枠体２との間でシーリング処理される。これによって、ＡＬＣパネルが室外側に直接露出しないようにして、意匠性を向上させている。
【００３５】
次に、壁体構造におけるサッシの上方及び下方部の構成について説明する。図５には、壁体構造のサッシより下方部における横断面図であって、縦フレーム材１０の周辺の図を示している。この図に示すように、サッシの下方部においては横側ＡＬＣパネル４２に隣接するように下側ＡＬＣパネル４１が配置される。ここで、横側ＡＬＣパネル４２には前述のように突出部４２ａが形成され、それによって縦フレーム材１０を配置する収納部４２ｂが形成されており、縦フレーム材１０の下側ＡＬＣパネル４１と対向する面は、横側ＡＬＣパネル４２の突出部４２ａの内周面と略面一状であることにより、下側ＡＬＣパネル４１の側面に特に加工が施されていなくてもこれと干渉することがない。
【００３６】
このように、横側ＡＬＣパネル４２に突出部４２ａを設けたことで、縦フレーム材１０をＡＬＣパネルの見込面内に配置しても、隣接するＡＬＣパネルと干渉しないようにすることができるので、ＡＬＣパネルに対して現場で加工を行う必要がなく、施工性を向上させることができる。また、図示しないがサッシの上方部においても同様である。
【００３７】
次に、本発明の第２の実施形態について説明する。図６には本実施形態における壁体構造の縦断面図を、図７にはその横断面図を、それぞれ示している。第２の実施形態の壁体構造は、全体の構成は概ね第１の実施形態と共通している。すなわち、左右の縦フレーム材１０と上下の横フレーム材１１ａ、１１ｂとでフレーム体１を形成し、その開口部１ａにサッシ枠体２を固着し、サッシ枠体２には内障子３と外障子４を引き違い状に納め、さらにフレーム体１の周囲には上側ＡＬＣパネル４０と下側ＡＬＣパネル４１及び横側ＡＬＣパネル４２を配設してなっている。
【００３８】
フレーム体１とサッシ枠体２の連結構造も、第１の実施形態と概ね同様であり、フレーム体１は室外面がサッシ枠体固着面１２として形成され、サッシ枠体２にはサッシ枠体固着面１２に室外側から重合する固着片２５が形成され、固着片２５とサッシ枠体固着面１２が室外側からビス止めされることでこれらが連結される。さらに、これらビス止め部分を室外側から覆うようにサッシ枠体２とＡＬＣパネルとの間にシーリング材５２が設けられてシーリング処理がなされる。
【００３９】
ここで、第２の実施形態では第１の実施形態と異なり、上側ＡＬＣパネル４０と横側ＡＬＣパネル４２のいずれも突出部を有しておらず、その内周面は平面状とされている。これにより、縦フレーム材１０が横側ＡＬＣパネル４２の側面よりも内周側に配置されることとなる。このため、横側ＡＬＣパネル４２と隣接して配置される上側ＡＬＣパネル４０及び下側ＡＬＣパネル４１の側面に加工を行う必要がある。
【００４０】
図８には、壁体構造のサッシより下方部における横断面図であって、縦フレーム材１０の周辺の図を示している。この図に示すように、縦フレーム材１０は下側ＡＬＣパネル４１が配置される領域に突出して設けられているので、下側ＡＬＣパネル４１にはその形状に合わせて切欠部４１ａが形成されている。これによって、下側ＡＬＣパネル４１を縦フレーム材１０と干渉しないように配置することができる。また、図示しないが上側ＡＬＣパネル４０についても同様である。
【００４１】
以上、本発明の実施形態について説明したが、本発明の適用はこれらの実施形態に限られるものではなく、その技術的思想の範囲内において様々に適用されうるものである。例えば、第１及び第２の実施形態では、壁体構造としてフレーム体１の周囲にいずれもＡＬＣパネルを配設したが、ＡＬＣパネルではなく建物躯体が直接配置されるような構成であってもよい。また、フレーム体１の開口部１ａ内に設けられるサッシの種類は、引き違いサッシ以外の例えば開き窓等であってもよい。
【図面の簡単な説明】
【００４２】
【図１】第１の実施形態におけるパネルユニットの正面図である。
【図２】フレーム体の縦断面図である。
【図３】第１の実施形態における壁体構造の縦断面図である。
【図４】第１の実施形態における壁体構造の横断面図である。
【図５】壁体構造のサッシより下方部における横断面図であって、縦フレーム材の周辺の図である。
【図６】第２の実施形態における壁体構造の縦断面図である。
【図７】第２の実施形態における壁体構造の横断面図である。
【図８】壁体構造のサッシより下方部における横断面図であって、縦フレーム材の周辺の図である。
【符号の説明】
【００４３】
１    フレーム体
１ａ  開口部
２    サッシ枠体
３    内障子
４    外障子
５    框体
６    ガラス体
７    額縁材
８    内壁面材
９    外壁面材
１０    縦フレーム材
１１    横フレーム材
１１ａ  上フレーム材
１１ｂ  下フレーム材
１２    サッシ枠体固着面
２３    立ち上がり片
２４    アングル部
２５    固着片
２６    係合フィン
４０    上側ＡＬＣパネル
４０ａ  突出部
４０ｂ  収納部
４１    下側ＡＬＣパネル
４２    横側ＡＬＣパネル
４２ａ  突出部
４２ｂ  収納部
５０    断熱材
５１    係合部品
５２    シーリング材
【図１】
2008121381.tif 000003
【図２】
2008121381.tif 000004
【図３】
2008121381.tif 000005
【図４】
2008121381.tif 000006
【図５】
2008121381.tif 000007
【図６】
2008121381.tif 000008
【図７】
2008121381.tif 000009
【図８】
2008121381.tif 000010